(57)【要約】  洗浄ブラシ中心軸に取り付けられているプレート胴体を各々が有している複数の清浄要素を有し、プレート胴体は実質的に長い構成であって、その長さ方向の軸線に沿って延びており、傾斜加工されているか傾斜加工されていないかのいずれかの角の部分を含む角の部分を有している複数のテーパー状の帯を定めている複数の切り欠きを有している自動車洗浄システム用ロータリ洗浄ブラシ組み立て品。
2016535700.tif 000002
【特許請求の範囲】
【請求項１】
中心洗浄ブラシ軸に取り付けられているプレート胴体を各々が有している複数の清浄要素（２、４４、４５）を有し、
前記プレート胴体（２、４４、４５）は、実質的に長い構成であって、その長さ方向の軸線に沿って延びており、傾斜加工されているか傾斜加工されていないかのいずれかの角の部分を含む角の部分を有している複数のテーパー状の帯を定めている複数の切り欠きを有していることを特徴とする、
自動車洗浄システム用ロータリ洗浄ブラシ組み立て品。
【請求項２】
前記プレート胴体は、独立気泡プラスチック材料、フェルト、布、不織布、または他の材料で作られていることを特徴とする、請求項１に記載の洗浄ブラシ組み立て品。
【請求項３】
前記プレート胴体（２、４４、４５）は、発泡ポリエチレン材料、ＥＶＡ、または独立気泡または連続気泡のいずれかの種類の任意の他の柔軟な発泡材料、布材料、織布材料または不織布材料、または前記材料の任意の組み合わせで作られていることを特徴とする、請求項１に記載の洗浄ブラシ組み立て品。
【請求項４】
前記プレート胴体は、重なっている２つの部分を実現するように、その交差方向の軸線に関して１８０°曲げられており、使用構成のおいては、前記清浄要素は、洗浄ブラシ組み立て品中心軸に取り付けられているか、前記プレート胴体（２、４４、４５）は、まず、長さ方向の軸線に沿ってそれ自体の上へ曲げられ、それから、その交差方向の軸線に沿って１８０°曲げられて、隣接した関係で配置されている２個のカップ部分を実現し、使用構成においては、前記清浄要素は、該洗浄ブラシ組み立て品の前記中心軸に取り付けられていることを特徴とする、請求項１に記載の洗浄ブラシ組み立て品。
【請求項５】
垂直な軸線上に配置されており下部、中心部、および上部の３個の主要な部分を有する複数の洗浄ブラシ組み立て品を有する洗浄ブラシ組み立て品の組を有し、
前記下部は、強力な洗浄力を実現し、実質的に同じ長さの複数の帯を囲んでいる複数のバンド要素を各々が有する複数の該洗浄ブラシ組み立て品を有し；
前記中心部は、繊細な洗浄作業を実現し、短い帯またはずれている位置に配置されている帯を有している複数のバンド要素を各々が有している複数の該洗浄ブラシ組み立て品を有し、
前記上部は、中間の力の洗浄動作を実現し、異なる長さの帯を有している複数の前記バンド要素を各々が有している複数の該洗浄ブラシ組み立て品を有していることを特徴とする、
請求項１から４のいずれか１項に記載の洗浄ブラシ組み立て品。
【請求項６】
ブラシ洗浄組み立て品の組を有し、
前記ブラシ洗浄組み立て品の組の洗浄ブラシ組み立て品は、水平な軸線上に配置されており、２個の貫通するように切断されているバンド要素によってその側部で閉じてられている１つの中心胴体に分割されており、前記中心胴体は、繊細な洗浄を実現し、短い帯またはずれている位置に配置されている帯を有している複数の前記バンド要素を各々が有している複数の該洗浄ブラシ組み立て品を有していることを特徴とする、
請求項１から５のいずれか１項に記載の洗浄ブラシ組み立て品。
【請求項７】
前記プレート胴体（２）は、前記バンドの長さ方向の軸線に従って実質的に長い構成であって、傾斜加工されているおよび／または傾斜加工されていない複数の実質的に３角形の帯（４）を定めている切り欠き（５）を備えていることを特徴とする、請求項１に記載の洗浄ブラシ組み立て品。
【請求項８】
前記プレート胴体（２）は、その交差方向の軸線について１８０°曲げられて、その使用構成において互いに重なっている２つの部分（６、７）実現しており、前記清浄要素（２）は洗浄ブラシ組み立て品の中心軸（３）に取り付けられていることを特徴とする、請求項１に記載の洗浄ブラシ組み立て品。
【請求項９】
中心の前記清浄要素は、前記帯（５）を有していない、ことを特徴とする、請求項１に記載の洗浄ブラシ組み立て品。
【請求項１０】
前記下部（１１）は、増加した洗浄力を実現し、１８個の前記バンド（２１）を有している複数の洗浄ブラシ組み立て品を有しており、対応している帯（４）は長さが実質的に同じことを特徴とする、請求項１に記載の洗浄ブラシ組み立て品。
【請求項１１】
前記中心部（１２）は、繊細な洗浄力を実現し、１２個のバンド（２２）を有しており、長さが短く、ずれている位置に配置されている対応している帯（４）を有している複数の洗浄ブラシ組み立て品を有していることを特徴とする、請求項１に記載の洗浄ブラシ組み立て品。
【請求項１２】
前記上部（１３）は、中間の洗浄力を実現し、複数の長さが異なる帯を備えている１２個のバンド（２３）を有している複数の洗浄ブラシ組み立て品を有していることを特徴とする、請求項１に記載の洗浄ブラシ組み立て品。
【請求項１３】
中心軸（３）を有し、
前記中心軸（３）には前記中心軸（３）に支持されているプラスチック材料要素（３’）が取り付けられており、前記中心軸（３）はその交差方向の軸線を中心に１８０°曲げられて２個の部分（６及び７）を実現している前記プレート胴体（２）の曲げられているフラップ（６及び７）を保持している複数の挿入部（８）を有していることを特徴とする、請求項１に記載の洗浄ブラシ組み立て品。
【請求項１４】
該洗浄ブラシ組み立て品は、動作の先端接触モードで動作する以外にも、自動車胴体への接触表面が増加する房中心胴体によっても動作することを特徴とする、請求項１から１３のいずれか１項に記載の洗浄ブラシ組み立て品。
【請求項１５】
該洗浄ブラシ組み立て品は、互いに重なって、該洗浄ブラシ組み立て品の動作状態及び休止状態の両方で強度及び剛性が向上している該洗浄ブラシ組み立て品の内側の構造リブを実現する半分のフラグ要素（４４、４５）から作られている構造を有している、ことを特徴とする、請求項１に記載の洗浄ブラシ組み立て品。
【請求項１６】
前記フラグ（４４、４５）は、プラスチック材料軸（４２）内に配置されており、熱溶接プラグ要素を保持することによって保持されていることを特徴とする、請求項１に記載の洗浄ブラシ組み立て品。
【請求項１７】
対応している保持穴（４６）も重なるように重ねられている大きさ及び形が同じ２個の型抜きされた半分のフラグ（４４、４５）を有することを特徴とする、請求項１に記載の洗浄ブラシ組み立て品。
【請求項１８】
前記半分のフラグは、その長さ方向の軸線に沿って９０°で半分に曲げられており、保持穴を通過しているその交差方向の軸線に沿って９０°でさらに曲げられていることを特徴とする、請求項１に記載の洗浄ブラシ組み立て品。
【請求項１９】
前記フラグは、対応する軸上に配置されるフラグブロック（４３）を定めており、前記ブロック（４３）は支持軸に保持されて、毛の下部を補強する構造的なカップ要素（４８）を実現することを特徴とする、請求項１に記載の洗浄ブラシ組み立て品。
【請求項２０】
該洗浄ブラシ組み立て品は、互いに重なっている半分のフラグで作られて、該洗浄ブラシ組み立て品内で構造的なリブを実現して、該洗浄ブラシ組み立て品の動作状態及び休止状態の両方で強度及び剛性が向上させることを特徴とする、請求項１に記載の洗浄ブラシ組み立て品。
【請求項２１】
前記フラグは、保持熱溶接プラグを保持することによって保持されるプラスチック材料軸（４２）に部分的に係合していることを特徴とする、請求項１に記載の洗浄ブラシ組み立て品。
【請求項２２】
ブラシの毛は、補強底部コレット及び柔らかい房を有していることを特徴とする、請求項１に記載の洗浄ブラシ組み立て品。
【発明の詳細な説明】
【技術分野】
【０００１】
本発明は、自動車洗浄システム用ロータリブラシに関する。
【背景技術】
【０００２】
公知のように、自動自動車洗浄システムは、従来、通常円柱状の配置であって、ロータリ駆動部材に結合しているブラシ組み立て品支持部を一般に有している複数のロータリ洗浄ブラシ組み立て品を有している。
【０００３】
支持部の外側表面状には、互いに隣接している関係で配置されて、その端部で支持部に垂直な関係で結合されている複数の柔軟な清浄要素が通常取り付けられている。
【０００４】
たとえば自動車のボディ用の自動清浄および洗浄は、複数の前述の洗浄ブラシ組み立て品を回転駆動して、ロータリブラシ組み立て品によって発生する遠心力によって予め設定されている配置で保持されている柔軟な要素で、洗浄水及び／または洗浄水溶液つまり乳状液を通して自動車ボディに衝撃を与えさせることによって達成される。
【０００５】
従来の洗浄ブラシは、フェルト材料、合成材料の毛の配置、合成発泡材料の糸、または異なる清浄材料の組み合わせなどから一般的になる複数のフラップつまり帯及びバンド要素を通常有している。
【発明の概要】
【発明が解決しようとする課題】
【０００６】
本発明の狙いは、バンド要素の端部の位置の重量を従来の洗浄ブラシ組み立て品よりもはるかに軽くするテーパー状の房を有している改良された洗浄ロータリブラシ組み立て品を提供することである。
【０００７】
前述の狙いの範囲内で、本発明の主な目的は、より柔らかくより繊細な接触タッチを備えることによって、非常に大きな洗浄力を洗浄される任意の表面に作用させながら自動車ボディが損傷しないようにし、また、自動車の洗浄作業全体で発生する騒音を減少させるような改良された洗浄ロータリブラシ組み立て品を提供することである。
【０００８】
本発明の他の目的は、良好な美的な構成を有しており、ユーザの要件に依存して複数の異なる作業構成でも使用可能な洗浄ブラシ組み立て品を提供することである。
【０００９】
本発明のまた他の目的は、特別に構成されている作業特徴のおかげで動作時に非常に信頼性が高く安全な自動車洗浄ブラシ組み立て品を提供することである。
【課題を解決するための手段】
【００１０】
本発明の一態様によれば、前述の狙い及び目的及び以降でより明らかになるであろう他の目的は、各々が中心洗浄ブラシ軸に取り付けられているプレート胴体を有している複数の清浄要素を有することを特徴とする自動車洗浄システム用ロータリ洗浄ブラシ組み立て品によって達成される。
【００１１】
プレート胴体は、実質的に長い構成であって、その長さ方向の軸線に沿って延びており、傾斜加工されているか、または傾斜加工されていない対応する角の部分を有している複数の３角形の帯を定めている複数の切り欠きを有している。
【００１２】
本発明のさらなる特徴及び利点は、添付の図面において、明示のための、しかし非限定的な例として図示されている本発明の好ましい、しかし排他的ではない実施形態の以下の詳細な開示から以降でより明らかになるであろう。
【図面の簡単な説明】
【００１３】
【図１】図１は本発明の改良されている自動車洗浄ブラシ組み立て品の前部立面図である。
【図２】図２は本発明の垂直軸構成を有している複数の洗浄ブラシ組み立て品の組つまりバンクの側部面図である。
【図３】図３は図２の断面ＩＩＩに沿ったさらなる前部断面図である。
【図４】図４は図２の断面ＩＶに沿ったさらなる前部断面図である。
【図５】図５は図２の断面Ｖに沿ったまた他の前部断面図である。
【図６】図６は、本発明の実質的に水平な軸構成を有している洗浄ブラシ組み立て品の組のまた他の側部断面図である。
【図７】図７は、第１の一連の３個のバンドである。
【図８】図８は、第２の一連の３個のバンドである。
【図９】図９は、バンドの中心コア要素への接続を示している斜視図である。
【図１０】図１０は、図９の分解構成状態にある図９と同様な図である。
【図１１】図１１は、コレット配置を実現しており、交差して強度の高いカップ要素を実現するようになっている中間のバンドを備えているテーパー状の毛を有しており、ブラシシステムの底部の位置で交差しているフラグつまりバンド要素によって構成されている構造を有している洗浄ブラシ組み立て品を示している。
【図１２】図１２は、分解状態で示している半分のバンドつまり半分のフラグを示している。
【図１３】図１３は、部分的に重なっており、また穴が互いに重なるように配置されている関係の半分のフラグを示している。
【図１４】図１４は、９０度の角度で曲げられており、他方の端部を囲んでいる、２個の半分のフラグを示している。
【図１５】図１５は、一方の端部を囲みながら、一方が他方に重なるように互いに結合されている２個の半分のフラグを示している。
【図１６】図１６は、２個の半分のフラグの一方が他方の端部を部分的に覆うように曲げられている図２の半分のフラグを示している。
【図１７】図１７は、互いに適切に対応しており、長さ方向の延びに対して交差する方向について曲げる作業において重なる複数の対応している穴を有している２個の半分のフラグを示している。
【図１８】図１８は、図１７と同様に２個の半分のフラグを示しており、特に互いに対応するように配置されており、プラスチック材料の軸内のブロックの位置で係合している２個の型抜きされているフラグ要素を示しており、ブロックはコレットを形成している毛の底部の位置で小さな構造的な補強カップを実現するように保持されている詳細図である。
【発明を実施するための形態】
【００１４】
前述の図の参照番号を参照すると、全体が参照番号１で示されている本発明の改良されているロータリブラシ組み立て品は、各々が洗浄組み立て品中心軸３に取り付けられているプレート状の胴体からなる複数の清浄要素２を有している。
【００１５】
より具体的には、プレート胴体２は、独立気泡または連続気泡のプラスチック材料、フェルト、布、または他の適切な材料で作られていることが有利かもしれない。
【００１６】
プレート胴体は、発泡ポリエチレン、ＥＶＡ材料、独立気泡または連続気泡の柔軟な材料、布、不織材料、または結合材料の任意の望ましい組み合わせで作られていることが好ましい。
【００１７】
プレート胴体２は、バンドの長さ方向の軸線に沿って延びている実質的に長い構成であって、傾斜加工されているか傾斜加工されていないかのいずれかの角の部分を備えている３角形の構成またはほぼ３角形構成を有している複数の実質的にテーパー状の帯４を定めている複数の切り欠き５を有している。
【００１８】
プレート胴体２は、使用状態では、図９及び１０の参照番号６及び７で示している２個の部分を実現するように交差方向の軸線について１８０°曲げられて、互いに隣接している関係で配置されていてもよく、清浄要素プレートボディ２は洗浄ブラシ組み立て品の中心軸３に取り付けられている。
【００１９】
その代わりに、プレートボディ２は、使用状態では、長さ方向の軸線に沿ってそれ自体に上に曲げられ、それからその交差方向の軸線について１８０°曲げられて、互いに隣接している関係で配置されている２個のカップ部分を実現してもよく、清浄要素は洗浄ブラシ組み立て品の中心軸に取り付けられている。
【００２０】
プレート胴体は、約１８０°の曲げ角度で曲げられているだけでもよい。
【００２１】
図８に示している中心の清浄要素において、一方の部分は、どのような帯５も有していない。
【００２２】
本発明によれば、洗浄ブラシ組み立て品は、その意図した用途に依存した構成を有している。
【００２３】
図２から５に示している例示的な実施形態では、垂直な軸配置の洗浄ブラシ組み立て品の組１０は、下部１１、中心部つまり中間部１２、および上部１３の３個の主な部分を有していることが好ましい。
【００２４】
下部１１は、より強力な洗浄効果を実現するように構成されており、この例示的な実施形態において、図７において参照番号２１で示しており実質的に同じ長さの複数の帯４を有している種類の１８個の曲げ要素からなる下部１１は１０個の洗浄ブラシ組み立て品を有している。
【００２５】
中心部つまり中間部１２は、繊細な洗浄を実現し、この例示的な実施形態においては、長さの短い、つまり互いにずれている位置に配置されている帯４を有している図７において参照番号２２で示している種類の１２個のバンドからなる４個の洗浄ブラシ組み立て品を有している。
【００２６】
上部１３は、中間の力での洗浄動作を実現し、この例示的な実施形態においては、図７において参照番号２３で示している種類であて、長さの異なる複数の帯４を有している１２個のバンドからなる７個の洗浄ブラシ組み立て品を有している。
【００２７】
図６に示している例示的な実施形態において、全体が参照番号３０で示されている水平の軸構成の洗浄ブラシの組は、手作業で切断されている貫通している２個のバンド２４によって対向している側部で閉じられている単一の中心つまり中間胴体３１を有している。
【００２８】
中心つまり中間胴体３１は、繊細な洗浄動作を実現し、この例においては、長さの短い、つまり互いにずれている位置に配置されている帯４を有している図８に示している種類の１２個のバンドによって構成されている１９個の洗浄ブラシ組み立て品を有している。
【００２９】
洗浄ブラシ組み立て品は、中心軸３によって支持されている複数のプラスチック材料の要素３’が取り付けられており、長さ方向の軸線を中心に重なるように曲げられ、それから交差方向の軸線を中心に１８０°の角度で曲げられている２つの部分６及び７を実現するように交差方向の軸線を中心に１８０°の角度で曲げられているプレート胴体２の曲げられているフラップ６及び７を保持している複数の挿入要素８を有している中心軸３も有している。
【００３０】
この洗浄ブラシ組み立て品は、互いに重ねられている半分のフラグからまず作られ、それによって、洗浄ブラシ組み立て品の内側の内部の構造リブを実現して、組み立て品の動作状態及び休止状態の両方で強度及び剛性を改善する。
【００３１】
このように配置されているフラグ要素は、プラスチック材料のスタブ軸要素内に配置され、熱溶接されているプラグによって保持され、それによって各々が補強コレットを有している直径が異なる複数の洗浄ブラシ組み立て品を素早く容易に作れるようにしている。
【００３２】
より具体的には、毛の底部のコレットつまりカラーは、非常に柔らかい房と組み合わされている強化されているカップを実現することによって、自動車ボディへの発生し得る損傷を防止しながら、ブラシ組み立て品を動作させている電気モータの駆動電流が適切に調整されてもよい。
【００３３】
また、洗浄ブラシ組み立て品の中心の剛性が向上したことによって、各ブラシ組み立て品の洗浄力が向上するが、それは、ブラシ組み立て品の梱包及び輸送作業も促進しながら、ブラシ組み立て品が常にまっすぐで、「ふくらんでいる」状態に維持されているからである。
【００３４】
図１１から１８は、２個の型抜きされており、大きさ及び形状が同じで、保持穴つまり固定穴４６も重なるように重ねられている半分のフラグ要素４４及び４５からなるロータリブラシ組み立て品４１を示している。
【００３５】
より具体的には、半分のフラグ４４及び４５は両方が長さ方向の軸線に沿って半分に９０°の角度で曲げられ（図１４）、それから保持穴を通る交差方向の軸線に沿って９０°さらに曲げられる（図１５及び１６を参照）。
【００３６】
このようにして作られたフラグ４４及び４５のブロック４３を、プラスチック材料の軸４２と係合させ、それからフラグブロック４３は容易に素早く動作ユニットとして固定される。
【００３７】
したがって、小さいカップ構造補強要素４８が、毛の底部の位置に実現され、このカップ要素を、補強コレットと呼び、動作させてもよい。
【００３８】
本発明の洗浄ブラシ組み立て品４１は、ブラシ組み立て品の内側の構造リブを実現して、ブラシ組み立て品全体の強度を動作状態及び休止状態の両補で増す、互いに重なっている半分のフラグ４４及び４５から作られてもよい。
【００３９】
このようにして作られたフラグ４４及び４５は、プラスチック材料の軸４２に取り付けられ、適切な熱溶接保持プラグを介して軸４２に保持される。
【００４０】
したがって、洗浄ブラシ組み立て品４１は、ふくらんでまっすぐな状態に常に保持され、改善された洗浄方向及び適切な美的特徴を実現する。
【００４１】
実施にあたっては、半分のフラグ４４及び４５によって、各々が補強コレット４８配置を有しているさまざまな直径の多数の洗浄ブラシ組み立て品４１を素早く容易に作ることができる。
【００４２】
より具体的には、洗浄ブラシの毛の基部つまり下部の位置のコレット要素４８は、非常に柔らかい房を実現しながら、カップの強度を改善し、それによって、洗浄ブラシ組み立て品４１が自動車ボディを傷つけないようにしながら、洗浄ブラシ組み立て品を駆動する電気モータの電流を完璧に調整することができる。
【００４３】
さらに、各個別の洗浄ブラシ組み立て品４１の改善されている中心の剛性によって、前述のように、梱包及び輸送の配置を容易にしながら、洗浄ブラシ組み立て品４１を常にまっすぐでふくらんだ状態に保持することによって、洗浄力が向上する。
【００４４】
本発明は、意図した狙い及び目的を完全に達成していることがわかった。
【００４５】
実際に、本発明のロータリブラシ組み立て品４１は、変わることのない高い洗浄力を維持しながら、非常に繊細な洗浄作業及び乗り物ボディを発生し得る傷や損傷から保護するより柔らかいタッチを実現する。
【００４６】
本発明は、従来の洗浄ブラシ組み立て品とは反対に、先端での洗浄動作を実現するだけではなく、房の中心の胴体によっても動作し、したがって接触表面が広がり、それに合わせて、改善された素早い洗浄動作が実現され、それが水及び動力の削減を可能にする。
【００４７】
また、洗浄動作時に基本的に平面内に配置されている動作の先端接触モードで動作する従来の洗浄ブラシ組み立て品は、自動車ボディに接触すると開いて変形しがちであって、そのようなことは、対応する補強カップを有し、しっかりと軸４２に接合されている洗浄バンドの３次元配置のおかげで、本発明では発生しない。
【００４８】
また、本発明の洗浄ブラシ組み立て品４１によって、どのようなユーザ要件に対してもカスタマイズされた洗浄ブラシの組を容易に素早く作ることができる。
【００４９】
本発明を実施する場合、要件によって任意の材料及び大きさを使用してもよい。
【図１】
2016535700.tif 000003
【図２】
2016535700.tif 000004
【図３】
2016535700.tif 000005
【図４】
2016535700.tif 000006
【図５】
2016535700.tif 000007
【図６】
2016535700.tif 000008
【図７】
2016535700.tif 000009
【図８】
2016535700.tif 000010
【図９】
2016535700.tif 000011
【図１０】
2016535700.tif 000012
【図１１】
2016535700.tif 000013
【図１２】
2016535700.tif 000014
【図１３】
2016535700.tif 000015
【図１４】
2016535700.tif 000016
【図１５】
2016535700.tif 000017
【図１６】
2016535700.tif 000018
【図１７】
2016535700.tif 000019
【図１８】
2016535700.tif 000020
【手続補正書】
【提出日】平成27年1月22日(2015.1.22)
【手続補正１】
【補正対象書類名】特許請求の範囲
【補正対象項目名】全文
【補正方法】変更
【補正の内容】
【特許請求の範囲】
【請求項１】
自動車洗浄システム用ロータリ洗浄ブラシ組み立て品であって、
中心洗浄ブラシ軸（３）に取り付けられているプレート胴体を各々が有している複数のバンド清浄要素（２、４４、４５）を有し、
前記プレート胴体（２、４４、４５）は、実質的に長い構成であって、その長さ方向の軸線に沿って延びており、複数の切り欠き（５）を有しており、
前記切り欠き（５）は、各前記バンド清浄要素（２、４４、４５）の動作する洗浄端部の位置に、複数のテーパー状の曲がっていない平坦な帯（４）を定めており、前記帯は、実質的に３角形で、傾斜加工されているか傾斜加工されていないかのいずれかの角の部分を有しており、それによって、各前記バンド清浄要素の前記動作する洗浄端部は、強い洗浄力を実現し、また該ブラシ組み立て品の洗浄雑音を減少させながら、自動車ボディを損傷させずに柔らかに接触することを特徴とする、
自動車洗浄システム用ロータリ洗浄ブラシ組み立て品。
【請求項２】
前記プレート胴体は、独立気泡プラスチック材料、フェルト、布、不織布、または他の材料で作られていることを特徴とする、請求項１に記載の洗浄ブラシ組み立て品。
【請求項３】
前記プレート胴体（２、４４、４５）は、発泡ポリエチレン材料、ＥＶＡ、または独立気泡または連続気泡のいずれかの種類の任意の他の柔軟な発泡材料、布材料、織布材料または不織布材料、または前記材料の任意の組み合わせで作られていることを特徴とする、請求項１に記載の洗浄ブラシ組み立て品。
【請求項４】
前記プレート胴体は、重なっている２つの部分を実現するように、その交差方向の軸線に関して１８０°曲げられており、使用構成のおいては、前記清浄要素は、洗浄ブラシ組み立て品中心軸に取り付けられているか、前記プレート胴体（２、４４、４５）は、まず、長さ方向の軸線に沿ってそれ自体の上へ曲げられ、それから、その交差方向の軸線に沿って１８０°曲げられて、隣接した関係で配置されている２個のカップ部分を実現し、使用構成においては、前記清浄要素は、該洗浄ブラシ組み立て品の前記中心軸に取り付けられていることを特徴とする、請求項１に記載の洗浄ブラシ組み立て品。
【請求項５】
垂直な軸線上に配置されており下部、中心部、および上部の３個の主要な部分を有する複数の洗浄ブラシ組み立て品を有する洗浄ブラシ組み立て品の組を有し、
前記下部は、強力な洗浄力を実現し、実質的に同じ長さの複数の前記テーパー状の平坦な帯を囲んでいる複数のバンド要素を各々が有する複数の該洗浄ブラシ組み立て品を有し；
前記中心部は、繊細な洗浄作業を実現し、短い帯を有しているか、ずれている位置に配置されている複数のバンド要素を各々が有している複数の該洗浄ブラシ組み立て品を有し、
前記上部は、中間の力の洗浄動作を実現し、異なる長さの帯を有している複数の前記バンド要素を各々が有している複数の該洗浄ブラシ組み立て品を有していることを特徴とする、
請求項１から４のいずれか１項に記載の洗浄ブラシ組み立て品。
【請求項６】
ブラシ洗浄組み立て品の組を有し、
前記ブラシ洗浄組み立て品の組の洗浄ブラシ組み立て品は、水平な軸線上に配置されており、２個の貫通するように切断されているバンド要素によってその側部で閉じてられている１つの中心胴体に分割されており、前記中心胴体は、繊細な洗浄を実現し、短い帯またはずれている位置に配置されている帯を有している複数の前記バンド要素を各々が有している複数の該洗浄ブラシ組み立て品を有していることを特徴とする、
請求項１から５のいずれか１項に記載の洗浄ブラシ組み立て品。
【請求項７】
前記プレート胴体（２）は、前記バンドの長さ方向の軸線に従って実質的に長い構成であって、傾斜加工されているおよび／または傾斜加工されていない複数の実質的に３角形の帯（４）を定めている切り欠き（５）を備えていることを特徴とする、請求項１に記載の洗浄ブラシ組み立て品。
【請求項８】
前記プレート胴体（２）は、その交差方向の軸線について１８０°曲げられて、その使用構成において互いに重なっている２つの部分（６、７）実現しており、前記清浄要素（２）は洗浄ブラシ組み立て品の中心軸（３）に取り付けられていることを特徴とする、請求項１に記載の洗浄ブラシ組み立て品。
【請求項９】
中心の前記清浄要素は、前記帯（５）を有していない、ことを特徴とする、請求項１に記載の洗浄ブラシ組み立て品。
【請求項１０】
前記下部（１１）は、増加した洗浄力を実現し、１８個の前記バンド（２１）を有している複数の洗浄ブラシ組み立て品を有しており、対応している帯（４）は長さが実質的に同じことを特徴とする、請求項１に記載の洗浄ブラシ組み立て品。
【請求項１１】
前記中心部（１２）は、繊細な洗浄力を実現し、１２個のバンド（２２）を有しており、長さが短く、ずれている位置に配置されている対応している軸の帯（４）を有している複数の洗浄ブラシ組み立て品を有していることを特徴とする、請求項１に記載の洗浄ブラシ組み立て品。
【請求項１２】
前記上部（１３）は、中間の洗浄力を実現し、複数の長さが異なる帯を備えている１２個のバンド（２３）を有している複数の洗浄ブラシ組み立て品を有していることを特徴とする、請求項１に記載の洗浄ブラシ組み立て品。
【請求項１３】
中心軸（３）を有し、
前記中心軸（３）には前記中心軸（３）に支持されているプラスチック材料要素（３’）が取り付けられており、前記中心軸（３）はその交差方向の軸線を中心に１８０°曲げられて２個の部分（６及び７）を実現している前記プレート胴体（２）の曲げられているフラップ（６及び７）を保持している複数の挿入部（８）を有していることを特徴とする、請求項１に記載の洗浄ブラシ組み立て品。
【請求項１４】
各前記清浄バンド要素は、先端洗浄部分と中心洗浄部分の両方を有しており、前記洗浄部分は、前記自動車ボディへの接触表面を増加させる、ことを特徴とする、請求項１から１３のいずれか１項に記載の洗浄ブラシ組み立て品。
【請求項１５】
該洗浄ブラシ組み立て品は、互いに重なって、該洗浄ブラシ組み立て品の動作状態及び休止状態の両方で強度及び剛性が向上している該洗浄ブラシ組み立て品の内側の構造リブを実現する半分のフラグ要素（４４、４５）から作られている構造を有している、ことを特徴とする、請求項１に記載の洗浄ブラシ組み立て品。
【請求項１６】
前記フラグ（４４、４５）は、プラスチック材料軸（４２）内に配置されており、熱溶接プラグ要素を保持することによって保持されていることを特徴とする、請求項１に記載の洗浄ブラシ組み立て品。
【請求項１７】
対応している保持穴（４６）も重なるように重ねられている大きさ及び形が同じ２個の型抜きされた半分のフラグ（４４、４５）を有することを特徴とする、請求項１に記載の洗浄ブラシ組み立て品。
【請求項１８】
前記半分のフラグは、その長さ方向の軸線に沿って９０°で半分に曲げられており、保持穴を通過しているその交差方向の軸線に沿って９０°でさらに曲げられていることを特徴とする、請求項１に記載の洗浄ブラシ組み立て品。
【請求項１９】
前記フラグは、対応する軸上に配置されるフラグブロック（４３）を定めており、前記ブロック（４３）は支持ポストに保持されて、毛の下部を補強する構造的なカップ要素（４８）を実現することを特徴とする、請求項１に記載の洗浄ブラシ組み立て品。
【請求項２０】
該洗浄ブラシ組み立て品は、互いに重なっている半分のフラグで作られて、該洗浄ブラシ組み立て品内で構造的なリブを実現して、該洗浄ブラシ組み立て品の動作状態及び休止状態の両方で強度及び剛性が向上させることを特徴とする、請求項１に記載の洗浄ブラシ組み立て品。
【請求項２１】
前記フラグは、保持熱溶接プラグを保持することによって保持されるプラスチック材料軸（４２）に部分的に係合していることを特徴とする、請求項１に記載の洗浄ブラシ組み立て品。
【請求項２２】
ブラシの毛は、補強底部コレット及び柔らかい房を有していることを特徴とする、請求項１に記載の洗浄ブラシ組み立て品。
【手続補正２】
【補正対象書類名】明細書
【補正対象項目名】全文
【補正方法】変更
【補正の内容】
【発明の詳細な説明】
【技術分野】
【０００１】
本発明は、自動車洗浄システム用ロータリブラシに関する。
【背景技術】
【０００２】
公知のように、自動自動車洗浄システムは、従来、通常円柱状の配置であって、ロータリ駆動部材に結合しているブラシ組み立て品支持部を一般に有している複数のロータリ洗浄ブラシ組み立て品を有している。
【０００３】
支持部の外側表面状には、互いに隣接している関係で配置されて、その端部で支持部に垂直な関係で結合されている複数の柔軟な清浄要素が通常取り付けられている。
【０００４】
たとえば自動車のボディ用の自動清浄および洗浄は、複数の前述の洗浄ブラシ組み立て品を回転駆動して、ロータリブラシ組み立て品によって発生する遠心力によって予め設定されている配置で保持されている柔軟な要素で、洗浄水及び／または洗浄水溶液つまり乳状液を通して自動車ボディに衝撃を与えさせることによって達成される。
【０００５】
従来の洗浄ブラシは、フェルト材料、合成材料の毛の配置、合成発泡材料の糸、または異なる清浄材料の組み合わせなどから一般的になる複数のフラップつまり帯及びバンド要素を通常有している。
【０００６】
（特許文献１）は、請求項１の前提部分を実質的に開示している。
【先行技術文献】
【特許文献】
【０００７】
【特許文献１】米国特許出願公開第２０１０／０５８５４９号明細書
【発明の概要】
【発明が解決しようとする課題】
【０００８】
本発明の狙いは、バンド要素の端部の位置の重量を従来の洗浄ブラシ組み立て品よりもはるかに軽くするテーパー状の房を有している改良された洗浄ロータリブラシ組み立て品を提供することである。
【０００９】
前述の狙いの範囲内で、本発明の主な目的は、より柔らかくより繊細な接触タッチを備えることによって、非常に大きな洗浄力を洗浄される任意の表面に作用させながら自動車ボディが損傷しないようにし、また、自動車の洗浄作業全体で発生する騒音を減少させるような改良された洗浄ロータリブラシ組み立て品を提供することである。
【００１０】
本発明の他の目的は、良好な美的な構成を有しており、ユーザの要件に依存して複数の異なる作業構成でも使用可能な洗浄ブラシ組み立て品を提供することである。
【００１１】
本発明のまた他の目的は、特別に構成されている作業特徴のおかげで動作時に非常に信頼性が高く安全な自動車洗浄ブラシ組み立て品を提供することである。
【課題を解決するための手段】
【００１２】
本発明の一態様によれば、前述の狙い及び目的及び以降でより明らかになるであろう他の目的は、請求項１に記載の自動車洗浄システム用ロータリ洗浄ブラシ組み立て品によって達成される。
【００１３】
本発明のさらなる特徴及び利点は、添付の図面において、明示のための、しかし非限定的な例として図示されている本発明の好ましい、しかし排他的ではない実施形態の以下の詳細な開示から以降でより明らかになるであろう。
【図面の簡単な説明】
【００１４】
【図１】図１は本発明の改良されている自動車洗浄ブラシ組み立て品の前部立面図である。
【図２】図２は本発明の垂直軸構成を有している複数の洗浄ブラシ組み立て品の組つまりバンクの側部面図である。
【図３】図３は図２の断面ＩＩＩに沿ったさらなる前部断面図である。
【図４】図４は図２の断面ＩＶに沿ったさらなる前部断面図である。
【図５】図５は図２の断面Ｖに沿ったまた他の前部断面図である。
【図６】図６は、本発明の実質的に水平な軸構成を有している洗浄ブラシ組み立て品の組のまた他の側部断面図である。
【図７】図７は、第１の一連の３個のバンドである。
【図８】図８は、第２の一連の３個のバンドである。
【図９】図９は、バンドの中心コア要素への接続を示している斜視図である。
【図１０】図１０は、図９の分解構成状態にある図９と同様な図である。
【図１１】図１１は、コレット配置を実現しており、交差して強度の高いカップ要素を実現するようになっている中間のバンドを備えているテーパー状の毛を有しており、ブラシシステムの底部の位置で交差しているフラグつまりバンド要素によって構成されている構造を有している洗浄ブラシ組み立て品を示している。
【図１２】図１２は、分解状態で示している半分のバンドつまり半分のフラグを示している。
【図１３】図１３は、部分的に重なっており、また穴が互いに重なるように配置されている関係の半分のフラグを示している。
【図１４】図１４は、９０度の角度で曲げられており、他方の端部を囲んでいる、２個の半分のフラグを示している。
【図１５】図１５は、一方の端部を囲みながら、一方が他方に重なるように互いに結合されている２個の半分のフラグを示している。
【図１６】図１６は、２個の半分のフラグの一方が他方の端部を部分的に覆うように曲げられている図２の半分のフラグを示している。
【図１７】図１７は、互いに適切に対応しており、長さ方向の延びに対して交差する方向について曲げる作業において重なる複数の対応している穴を有している２個の半分のフラグを示している。
【図１８】図１８は、図１７と同様に２個の半分のフラグを示しており、特に互いに対応するように配置されており、プラスチック材料の軸内のブロックの位置で係合している２個の型抜きされているフラグ要素を示しており、ブロックはコレットを形成している毛の底部の位置で小さな構造的な補強カップを実現するように保持されている詳細図である。
【発明を実施するための形態】
【００１５】
前述の図の参照番号を参照すると、全体が参照番号１で示されている本発明の改良されているロータリブラシ組み立て品は、各々が洗浄組み立て品中心軸３に取り付けられているプレート状の胴体からなる複数の清浄要素２を有している。
【００１６】
より具体的には、プレート胴体２は、独立気泡または連続気泡のプラスチック材料、フェルト、布、または他の適切な材料で作られていることが有利かもしれない。
【００１７】
プレート胴体は、発泡ポリエチレン、ＥＶＡ材料、独立気泡または連続気泡の柔軟な材料、布、不織材料、または結合材料の任意の望ましい組み合わせで作られていることが好ましい。
【００１８】
プレート胴体２は、バンドの長さ方向の軸線に沿って延びている実質的に長い構成であって、傾斜加工されているか傾斜加工されていないかのいずれかの角の部分を備えている３角形の構成またはほぼ３角形構成を有している複数の実質的にテーパー状の帯４を定めている複数の切り欠き５を有している。
【００１９】
プレート胴体２は、使用状態では、図９及び１０の参照番号６及び７で示している２個の部分を実現するように交差方向の軸線について１８０°曲げられて、互いに隣接している関係で配置されていてもよく、清浄要素プレートボディ２は洗浄ブラシ組み立て品の中心軸３に取り付けられている。
【００２０】
その代わりに、プレートボディ２は、使用状態では、長さ方向の軸線に沿ってそれ自体に上に曲げられ、それからその交差方向の軸線について１８０°曲げられて、互いに隣接している関係で配置されている２個のカップ部分を実現してもよく、清浄要素は洗浄ブラシ組み立て品の中心軸に取り付けられている。
【００２１】
プレート胴体は、約１８０°の曲げ角度で曲げられているだけでもよい。
【００２２】
図８に示している中心の清浄要素において、一方の部分は、どのような帯５も有していない。
【００２３】
本発明によれば、洗浄ブラシ組み立て品は、その意図した用途に依存した構成を有している。
【００２４】
図２から５に示している例示的な実施形態では、垂直な軸配置の洗浄ブラシ組み立て品の組１０は、下部１１、中心部つまり中間部１２、および上部１３の３個の主な部分を有していることが好ましい。
【００２５】
下部１１は、より強力な洗浄効果を実現するように構成されており、この例示的な実施形態において、図７において参照番号２１で示しており実質的に同じ長さの複数の帯４を有している種類の１８個の曲げ要素からなる下部１１は１０個の洗浄ブラシ組み立て品を有している。
【００２６】
中心部つまり中間部１２は、繊細な洗浄を実現し、この例示的な実施形態においては、長さの短い、つまり互いにずれている位置に配置されている帯４を有している図７において参照番号２２で示している種類の１２個のバンドからなる４個の洗浄ブラシ組み立て品を有している。
【００２７】
上部１３は、中間の力での洗浄動作を実現し、この例示的な実施形態においては、図７において参照番号２３で示している種類であて、長さの異なる複数の帯４を有している１２個のバンドからなる７個の洗浄ブラシ組み立て品を有している。
【００２８】
図６に示している例示的な実施形態において、全体が参照番号３０で示されている水平の軸構成の洗浄ブラシの組は、手作業で切断されている貫通している２個のバンド２４によって対向している側部で閉じられている単一の中心つまり中間胴体３１を有している。
【００２９】
中心つまり中間胴体３１は、繊細な洗浄動作を実現し、この例においては、長さの短い、つまり互いにずれている位置に配置されている帯４を有している図８に示している種類の１２個のバンドによって構成されている１９個の洗浄ブラシ組み立て品を有している。
【００３０】
洗浄ブラシ組み立て品は、中心軸３によって支持されている複数のプラスチック材料の要素３’が取り付けられており、長さ方向の軸線を中心に重なるように曲げられ、それから交差方向の軸線を中心に１８０°の角度で曲げられている２つの部分６及び７を実現するように交差方向の軸線を中心に１８０°の角度で曲げられているプレート胴体２の曲げられているフラップ６及び７を保持している複数の挿入要素８を有している中心軸３も有している。
【００３１】
この洗浄ブラシ組み立て品は、互いに重ねられている半分のフラグからまず作られ、それによって、洗浄ブラシ組み立て品の内側の内部の構造リブを実現して、組み立て品の動作状態及び休止状態の両方で強度及び剛性を改善する。
【００３２】
このように配置されているフラグ要素は、プラスチック材料のスタブ軸要素内に配置され、熱溶接されているプラグによって保持され、それによって各々が補強コレットを有している直径が異なる複数の洗浄ブラシ組み立て品を素早く容易に作れるようにしている。
【００３３】
より具体的には、毛の底部のコレットつまりカラーは、非常に柔らかい房と組み合わされている強化されているカップを実現することによって、自動車ボディへの発生し得る損傷を防止しながら、ブラシ組み立て品を動作させている電気モータの駆動電流が適切に調整されてもよい。
【００３４】
また、洗浄ブラシ組み立て品の中心の剛性が向上したことによって、各ブラシ組み立て品の洗浄力が向上するが、それは、ブラシ組み立て品の梱包及び輸送作業も促進しながら、ブラシ組み立て品が常にまっすぐで、「ふくらんでいる」状態に維持されているからである。
【００３５】
図１１から１８は、２個の型抜きされており、大きさ及び形状が同じで、保持穴つまり固定穴４６も重なるように重ねられている半分のフラグ要素４４及び４５からなるロータリブラシ組み立て品４１を示している。
【００３６】
より具体的には、半分のフラグ４４及び４５は両方が長さ方向の軸線に沿って半分に９０°の角度で曲げられ（図１４）、それから保持穴を通る交差方向の軸線に沿って９０°さらに曲げられる（図１５及び１６を参照）。
【００３７】
このようにして作られたフラグ４４及び４５のブロック４３を、プラスチック材料の軸４２と係合させ、それからフラグブロック４３は容易に素早く動作ユニットとして固定される。
【００３８】
したがって、小さいカップ構造補強要素４８が、毛の底部の位置に実現され、このカップ要素を、補強コレットと呼び、動作させてもよい。
【００３９】
本発明の洗浄ブラシ組み立て品４１は、ブラシ組み立て品の内側の構造リブを実現して、ブラシ組み立て品全体の強度を動作状態及び休止状態の両補で増す、互いに重なっている半分のフラグ４４及び４５から作られてもよい。
【００４０】
このようにして作られたフラグ４４及び４５は、プラスチック材料の軸４２に取り付けられ、適切な熱溶接保持プラグを介して軸４２に保持される。
【００４１】
したがって、洗浄ブラシ組み立て品４１は、ふくらんでまっすぐな状態に常に保持され、改善された洗浄方向及び適切な美的特徴を実現する。
【００４２】
実施にあたっては、半分のフラグ４４及び４５によって、各々が補強コレット４８配置を有しているさまざまな直径の多数の洗浄ブラシ組み立て品４１を素早く容易に作ることができる。
【００４３】
より具体的には、洗浄ブラシの毛の基部つまり下部の位置のコレット要素４８は、非常に柔らかい房を実現しながら、カップの強度を改善し、それによって、洗浄ブラシ組み立て品４１が自動車ボディを傷つけないようにしながら、洗浄ブラシ組み立て品を駆動する電気モータの電流を完璧に調整することができる。
【００４４】
さらに、各個別の洗浄ブラシ組み立て品４１の改善されている中心の剛性によって、前述のように、梱包及び輸送の配置を容易にしながら、洗浄ブラシ組み立て品４１を常にまっすぐでふくらんだ状態に保持することによって、洗浄力が向上する。
【００４５】
本発明は、意図した狙い及び目的を完全に達成していることがわかった。
【００４６】
実際に、本発明のロータリブラシ組み立て品４１は、変わることのない高い洗浄力を維持しながら、非常に繊細な洗浄作業及び乗り物ボディを発生し得る傷や損傷から保護するより柔らかいタッチを実現する。
【００４７】
本発明は、従来の洗浄ブラシ組み立て品とは反対に、先端での洗浄動作を実現するだけではなく、房の中心の胴体によっても動作し、したがって接触表面が広がり、それに合わせて、改善された素早い洗浄動作が実現され、それが水及び動力の削減を可能にする。
【００４８】
また、洗浄動作時に基本的に平面内に配置されている動作の先端接触モードで動作する従来の洗浄ブラシ組み立て品は、自動車ボディに接触すると開いて変形しがちであって、そのようなことは、対応する補強カップを有し、しっかりと軸４２に接合されている洗浄バンドの３次元配置のおかげで、本発明では発生しない。
【００４９】
また、本発明の洗浄ブラシ組み立て品４１によって、どのようなユーザ要件に対してもカスタマイズされた洗浄ブラシの組を容易に素早く作ることができる。
【００５０】
本発明を実施する場合、要件によって任意の材料及び大きさを使用してもよい。
【国際調査報告】
2016535700.tif 000021
2016535700.tif 000022
2016535700.tif 000023